(57)【要約】【課題】ＩｒＤＡによる通信とともに、ＩｒＤＡ方式のデータ伝送速度の範囲外にある赤外線を用いたリモコン信号をも受信することができる赤外線通信モジュールを提供すること。【解決手段】ＩｒＤＡ用の赤外線通信モジュールに、ＩｒＤＡデータのデータ伝送速度の範囲外にあるデータ伝送速度のリモコン受信データを出力するリモコン信号処理回路を設ける。そして、ＩｒＤＡ受信データとリモコン受信データとを共通のデータ出力端子から出力する。さらに、モード信号により、ＩｒＤＡ信号処理回路とリモコン信号処理回路のいずれかを動作させる。【選択図】      図２
2006140668.tif 000002
【特許請求の範囲】
【請求項１】
受光素子で受光した受光量に応じた電流信号を電圧信号に変換する電流−電圧変換回路と、
該電流−電圧変換回路の電圧信号が入力され、この電圧信号を信号処理して、ＩｒＤＡ受信データを出力するＩｒＤＡ信号処理回路と、
前記電流−電圧変換回路の電圧信号が入力され、この電圧信号を信号処理して、前記ＩｒＤＡデータのデータ伝送速度の範囲外にあるデータ伝送速度のリモコン受信データを出力するリモコン信号処理回路と、を有することを特徴とする、信号処理回路。
【請求項２】
前記ＩｒＤＡ受信データと前記リモコン受信データとを共通のデータ出力端子から出力することを特徴とする、請求項１に記載の信号処理回路。
【請求項３】
さらに、ＩｒＤＡ光信号を送信する発光素子を、外部からのＩｒＤＡ送信データに基づいて駆動するＩｒＤＡ駆動回路を備え、
前記ＩｒＤＡ駆動回路を駆動する場合には、前記ＩｒＤＡ信号処理回路は動作状態で且つリモコン信号処理回路は不動作状態にする一方、前記ＩｒＤＡ駆動回路を駆動しない場合には、前記ＩｒＤＡ信号処理回路は不動作状態で且つリモコン信号処理回路は動作状態にするように、制御することを特徴とする、請求項２に記載の信号処理回路。
【請求項４】
ＩｒＤＡ光信号を送信する発光素子と、
該発光素子を、外部からのＩｒＤＡ送信データに基づいて駆動するＩｒＤＡ駆動回路と、
外部からの光信号を受光する受光素子と、
該受光素子で受光した受光量に応じた電流信号を電圧信号に変換する電流−電圧変換回路と、
該電流−電圧変換回路の電圧信号が入力され、この電圧信号を信号処理して、ＩｒＤＡ受信データを出力するＩｒＤＡ信号処理回路と、
前記電流−電圧変換回路の電圧信号が入力され、この電圧信号を信号処理して、前記ＩｒＤＡデータのデータ伝送速度の範囲外にあるデータ伝送速度のリモコン受信データを出力するリモコン信号処理回路と、を有することを特徴とする、光通信モジュール。
【請求項５】
前記ＩｒＤＡ受信データと前記リモコン受信データとを共通のデータ出力端子から出力することを特徴とする、請求項４に記載の光通信モジュール。
【請求項６】
前記ＩｒＤＡ駆動回路を駆動する場合には、前記ＩｒＤＡ信号処理回路は動作状態で且つリモコン信号処理回路は不動作状態にする一方、前記ＩｒＤＡ駆動回路を駆動しない場合には、前記ＩｒＤＡ信号処理回路は不動作状態で且つリモコン信号処理回路は動作状態にするように、制御することを特徴とする、請求項５に記載の光通信モジュール。
【請求項７】
ＩｒＤＡ光信号及びこのＩｒＤＡ光信号のデータ伝送速度の範囲外にあるデータ伝送速度のリモコン光信号を送信可能な発光素子と、
該発光素子を、外部からのＩｒＤＡ送信データに基づいて駆動するＩｒＤＡ駆動回路と、
前記発光素子を、前記ＩｒＤＡ送信データのデータ伝送速度の範囲外にある、外部からのデータ伝送速度のリモコン送信データに基づいて駆動するリモコン駆動回路と、
外部からの光信号を受光する受光素子と、
該受光素子で受光した受光量に応じた電流信号を電圧信号に変換する電流−電圧変換回路と、
該電流−電圧変換回路の電圧信号が入力され、この電圧信号を信号処理して、ＩｒＤＡ受信データを出力するＩｒＤＡ信号処理回路と、
前記電流−電圧変換回路の電圧信号が入力され、この電圧信号を信号処理して、前記ＩｒＤＡデータのデータ伝送速度の範囲外にあるデータ伝送速度のリモコン受信データを出力するリモコン信号処理回路と、を有することを特徴とする、光通信モジュール。
【請求項８】
前記ＩｒＤＡ受信データと前記リモコン受信データとを共通のデータ出力端子から出力することを特徴とする、請求項７に記載の光通信モジュール。
【請求項９】
前記ＩｒＤＡ送信データを前記ＩｒＤＡ駆動回路へ供給可能にするか、前記リモコン送信データを前記ＩｒＤＡ駆動回路へ供給可能にするかを外部から供給されるモード信号に応じて選択する選択回路を備えたことを特徴とする、請求項８に記載の光通信モジュール。
【請求項１０】
前記モード信号に応じて、前記ＩｒＤＡ駆動回路を駆動する場合には、前記ＩｒＤＡ信号処理回路は動作状態で且つリモコン信号処理回路は不動作状態にする一方、前記リモコン駆動回路を駆動する場合には、前記ＩｒＤＡ信号処理回路は不動作状態で且つリモコン信号処理回路が動作状態にするように、制御することを特徴とする、請求項９に記載の光通信モジュール。
【請求項１１】
請求項４乃至１０のいずれかに記載の光通信モジュールと、該光通信モジュールの制御を司る制御装置とを備えることを特徴とするリモコン装置。
【発明の詳細な説明】
【技術分野】
【０００１】
本発明は、ＩｒＤＡ方式による光を用いた相互通信用の光通信モジュール、それに用いる信号処理回路、及びそれらを用いたリモコン装置に関する。
【背景技術】
【０００２】
パーソナルコンピュータ、プリンタなどの周辺機器、携帯端末などの相互の間でのデータの通信方法として、赤外線を用いた赤外線通信方式がある。近年、その赤外線通信方式として、ＩｒＤＡ方式（赤外線データ通信協議会で採択された規格に基づく赤外線通信方式）が多く用いられるようになってきている。
【０００３】
ＩｒＤＡ方式では、単位周期における短パルスの有無や位置を、単位周期毎に決めることにより、データの送受信を行う。そのデータ伝送速度は、規格によって、２．４ｋＨｚ〜１６ＭＨｚの範囲にある。
【０００４】
このＩｒＤＡ方式には、通常、ＬＥＤ（発光ダイオード）を用いて外部へ赤外線信号を送出する発光部と、外部から入射される赤外線信号をホトダイオードを用いて受光する受光部と、それら発光部や受光部を用いて、赤外線信号の送受信を行う信号処理部とを含む赤外線通信モジュールが用いられる。
【０００５】
また、その赤外線通信モジュールに、ＩｒＤＡ方式とともに、標準化方式として決められているＡＳＫ方式（振幅変調方式）によるデータ伝送も行えるようにするとともに、それら全ての方式に共用可能な広帯域の増幅器を用いるようにしたものが提案されている（特許文献１参照）。
【特許文献１】特開平９−１７２３３１号公報
【発明の開示】
【発明が解決しようとする課題】
【０００６】
この従来のものでは、ＡＳＫ方式は、副搬送波（５００ｋＨｚ）を変調するデータ伝送速度が２．４〜５７．６ｋｂｐｓであり、ＩｒＤＡ方式のデータ伝送速度の範囲内にある。
【０００７】
しかし、一般の赤外線を用いたリモコン信号では、データ伝送速度は例えば１ｋＨｚ程度であるから、ＩｒＤＡ方式のデータ伝送速度の範囲外にある。したがって、従来のものでは、データ伝送速度が、ＩｒＤＡ方式のデータ伝送速度の範囲外にある赤外線を用いたリモコン信号を受信することが出来なかった。
【０００８】
そこで、本発明は、ＩｒＤＡ方式（以下、単にＩｒＤＡ、という）による通信とともに、ＩｒＤＡのデータ伝送速度の範囲外にある光を用いたリモコン信号をも受信することができる光通信モジュール、それに用いる信号処理回路、及びそれらを用いたリモコン装置を提供することを目的とする。
【課題を解決するための手段】
【０００９】
請求項１の信号処理回路は、受光素子で受光した受光量に応じた電流信号を電圧信号に変換する電流−電圧変換回路と、
該電流−電圧変換回路の電圧信号が入力され、この電圧信号を信号処理して、ＩｒＤＡ受信データを出力するＩｒＤＡ信号処理回路と、
前記電流−電圧変換回路の電圧信号が入力され、この電圧信号を信号処理して、前記ＩｒＤＡデータのデータ伝送速度の範囲外にあるデータ伝送速度のリモコン受信データを出力するリモコン信号処理回路と、を有することを特徴とする。
【００１０】
請求項２の信号処理回路は、請求項１に記載の信号処理回路において、前記ＩｒＤＡ受信データと前記リモコン受信データとを共通のデータ出力端子から出力することを特徴とする。
【００１１】
請求項３の信号処理回路は、請求項２に記載の信号処理回路において、さらに、ＩｒＤＡ光信号を送信する発光素子を、外部からのＩｒＤＡ送信データに基づいて駆動するＩｒＤＡ駆動回路を備え、
前記ＩｒＤＡ駆動回路を駆動する場合には、前記ＩｒＤＡ信号処理回路は動作状態で且つリモコン信号処理回路は不動作状態にする一方、前記ＩｒＤＡ駆動回路を駆動しない場合には、前記ＩｒＤＡ信号処理回路は不動作状態で且つリモコン信号処理回路は動作状態にするように、制御することを特徴とする。
【００１２】
請求項４の光通信モジュールは、ＩｒＤＡ光信号を送信する発光素子と、
該発光素子を、外部からのＩｒＤＡ送信データに基づいて駆動するＩｒＤＡ駆動回路と、
外部からの光信号を受光する受光素子と、
該受光素子で受光した受光量に応じた電流信号を電圧信号に変換する電流−電圧変換回路と、
該電流−電圧変換回路の電圧信号が入力され、この電圧信号を信号処理して、ＩｒＤＡ受信データを出力するＩｒＤＡ信号処理回路と、
前記電流−電圧変換回路の電圧信号が入力され、この電圧信号を信号処理して、前記ＩｒＤＡデータのデータ伝送速度の範囲外にあるデータ伝送速度のリモコン受信データを出力するリモコン信号処理回路と、を有することを特徴とする。
【００１３】
請求項５の光通信モジュールは、請求項４に記載の光通信モジュールにおいて、前記ＩｒＤＡ受信データと前記リモコン受信データとを共通のデータ出力端子から出力することを特徴とする。
【００１４】
請求項６の光通信モジュールは、請求項５に記載の光通信モジュールにおいて、前記ＩｒＤＡ駆動回路を駆動する場合には、前記ＩｒＤＡ信号処理回路は動作状態で且つリモコン信号処理回路は不動作状態にする一方、前記ＩｒＤＡ駆動回路を駆動しない場合には、前記ＩｒＤＡ信号処理回路は不動作状態で且つリモコン信号処理回路は動作状態にするように、制御することを特徴とする。
【００１５】
請求項７の光通信モジュールは、ＩｒＤＡ光信号及びこのＩｒＤＡ光信号のデータ伝送速度の範囲外にあるデータ伝送速度のリモコン光信号を送信可能な発光素子と、
該発光素子を、外部からのＩｒＤＡ送信データに基づいて駆動するＩｒＤＡ駆動回路と、
前記発光素子を、前記ＩｒＤＡ送信データのデータ伝送速度の範囲外にある、外部からのデータ伝送速度のリモコン送信データに基づいて駆動するリモコン駆動回路と、
外部からの光信号を受光する受光素子と、
該受光素子で受光した受光量に応じた電流信号を電圧信号に変換する電流−電圧変換回路と、
該電流−電圧変換回路の電圧信号が入力され、この電圧信号を信号処理して、ＩｒＤＡ受信データを出力するＩｒＤＡ信号処理回路と、
前記電流−電圧変換回路の電圧信号が入力され、この電圧信号を信号処理して、前記ＩｒＤＡデータのデータ伝送速度の範囲外にあるデータ伝送速度のリモコン受信データを出力するリモコン信号処理回路と、を有することを特徴とする。
【００１６】
請求項８の光通信モジュールは、請求項７に記載の光通信モジュールにおいて、前記ＩｒＤＡ受信データと前記リモコン受信データとを共通のデータ出力端子から出力することを特徴とする。
【００１７】
請求項９の光通信モジュールは、請求項８に記載の光通信モジュールにおいて、前記ＩｒＤＡ送信データを前記ＩｒＤＡ駆動回路へ供給可能にするか、前記リモコン送信データを前記ＩｒＤＡ駆動回路へ供給可能にするかを外部から供給されるモード信号に応じて選択する選択回路を備えたことを特徴とする。
【００１８】
請求項１０の光通信モジュールは、請求項９に記載の光通信モジュールにおいて、前記モード信号に応じて、前記ＩｒＤＡ駆動回路を駆動する場合には、前記ＩｒＤＡ信号処理回路は動作状態で且つリモコン信号処理回路は不動作状態にする一方、前記リモコン駆動回路を駆動する場合には、前記ＩｒＤＡ信号処理回路は不動作状態で且つリモコン信号処理回路が動作状態にするように、制御することを特徴とする。
【００１９】
請求項１１のリモコン装置は、請求項４乃至１０のいずれかに記載の光通信モジュールと、該光通信モジュールの制御を司る制御装置とを備えることを特徴とする。
【発明の効果】
【００２０】
本発明によれば、ＩｒＤＡ用の光通信モジュールや、その信号処理回路に、リモコン信号の受信処理専用のリモコン信号処理回路を設ける。これにより、データ伝送速度（１ｋＨｚ程度）が、ＩｒＤＡ方式のデータ伝送速度（２．４ｋＨｚ〜１６ＭＨｚ）の範囲外にある、通常の光（例、赤外線）を用いたリモコン信号をも、共通の光通信モジュールで受信することができる。
【００２１】
また、ＩｒＤＡ受信データとリモコン受信データとを共通のデータ出力端子から出力するから、光通信モジュールや、その信号処理回路の端子数を少なくすることができる。
【００２２】
また、ＩｒＤＡ動作とリモコン動作とを指示するモード信号に応じて、ＩｒＤＡ信号処理回路とリモコン信号処理回路のいずれかを動作状態にする。これにより、共通のデータ出力端子からは適切な受信データが出力される。
【００２３】
また、ＩｒＤＡ駆動回路かリモコン駆動回路の一方のみが、駆動可能になるように、選択回路によって選択される。したがって、ＩｒＤＡ駆動回路とリモコン駆動回路の両方が同時に駆動されることによる過電流の発生や、発光素子の損傷といった不具合を防止できる。
【発明を実施するための最良の形態】
【００２４】
以下、本発明の光通信に係る、信号処理回路、光通信モジュール、及びそれらを用いたリモコン装置の実施例について、図を参照して説明する。
【００２５】
図１は、本発明の第１実施例に係る、光通信モジュールである赤外線通信モジュール１００の構成を、その制御装置２００とともに示す図である。
【００２６】
図１の赤外線通信モジュール１００において、電源電圧Ｖｃｃが制御装置２００から電源端子Ｐｖｃｃを介して入力される。この電源電圧Ｖｃｃは、各回路の動作電圧として供給されるとともに、受光素子１０の駆動用電源として供給される。制御装置２００は、信号処理用のＩＣやＣＰＵなどを含んで構成されており、本発明の赤外線通信モジュール１００を含む電子機器の制御を司る。
【００２７】
受光素子１０は、電流−電圧変換回路２０と直列に、電源電圧Ｖｃｃ点とグランド間に接続される。この受光素子１０に外部から赤外線光信号が入射される。受光素子１０は、例えばＰＩＮフォトダイオードであり、電流−電圧変換回路２０は例えば抵抗器で良い。
【００２８】
この光信号には、ＩｒＤＡ信号と、赤外線を用いたリモコン信号（以下、ＩｒＲｃ信号）のいずれかが含まれる。受光素子１０と電流−電圧変換回路２０との直列回路には、受光素子１０に入射された光信号に応じた電流Ｉｒが流れ、この電流Ｉｒに応じた電圧信号Ｖｒに変換される。この電圧信号Ｖｒが、ＩｒＤＡ信号処理回路３０とリモコン信号処理回路４０に入力される。なお、ＩｒＲｃ信号は、副搬送波（例えば、３０〜４０ｋＨｚ）を、ＩｒＤＡ信号のデータ伝送速度よりも遅いデータ伝送速度（例えば、１ｋＨｚ）にて変調されている。
【００２９】
ＩｒＤＡ信号処理回路３０は、使用されるＩｒＤＡ信号のデータ伝送速度に応じた広帯域の増幅器３２と、その前後のカップリングキャパシタ３１、３３と、３２で増幅された信号を基準値と比較して２値化するコンパレータ３４と、コンパレータ３４のパルス出力を波形整形する波形整形回路３５と、波形整形回路３５からの出力を外部へ受信データとして出力するための出力回路３６とを含んでいる。この構成により、ＩｒＤＡ信号処理回路３０では、電圧信号Ｖｒに含まれるＩｒＤＡ信号を復調して出力データを得る。ＩｒＤＡ信号処理回路３０の出力データは、受信データ出力端子Ｐｒｘを介して、制御装置２００へ出力される。
【００３０】
リモコン信号処理回路４０は、ＩｒＲｃ信号のための受信専用の回路として構成される。増幅器４２と、その前後のカップリングキャパシタ４１、４３と、増幅器４２で増幅された信号を基準値と比較して２値化するコンパレータ４４と、コンパレータ４４のパルス出力を増幅し、受信データとして出力するためのバッファ回路４５とを含んでいる。この構成により、リモコン信号処理回路４０では、電圧信号Ｖｒに含まれるＩｒＲｃ信号を復調して出力データを得る。リモコン信号処理回路４０の出力データは、やはり受信データ出力端子Ｐｒｘを介して、制御装置２００へ出力される。
【００３１】
受信データ出力端子Ｐｒｘは、ＩｒＤＡ受信データ及びＩｒＲｃ受信データに共用とされる。これは、ＩｒＤＡ受信信号とＩｒＲｃ受信信号とは、同時に入力されないから、受信データ出力端子Ｐｒｘを共用することができる。したがって、端子数を少なくできる。
【００３２】
ただ、ＩｒＤＡ受信信号が入力された場合に、リモコン信号処理回路４０からＩｒＤＡ受信信号に基づく誤信号が出力される恐れがある。また、逆に、ＩｒＲｃ受信信号が入力された場合に、ＩｒＤＡ信号処理回路３０からＩｒＲｃ受信信号に基づく誤信号が出力される恐れがある。このような場合には、制御装置２００へ出力される受信データＲＸＤは、誤ったデータとなってしまう。
【００３３】
このような状態を避けるために、制御装置２００からモード信号ＭＯＤをモード信号入力端子Ｐｍｏｄを介して入力し、モード信号ＭＯＤをＩｒＤＡ信号処理回路３０及びリモコン信号処理回路４０に供給し、いずれか一方を動作状態にし他方を不動作状態にすることが望ましい。例えば、モード信号ＭＯＤが、ＩｒＤＡを示す高（Ｈ）レベルであるときはＩｒＤＡ信号処理回路３０を動作状態にし、また、ＩｒＲｃを示す低（Ｌ）レベルであるときはリモコン信号処理回路４０を動作状態にすることでよい。
【００３４】
送信のために、発光用電源電圧Ｖｌｅｄが制御装置２００から発光電源端子Ｐｖｌｅｄを介して入力される。この発光用電源電圧Ｖｌｅｄは、発光素子５０の駆動用電源として供給される。発光素子５０は、発光ダイオード（ＬＥＤ）が好適である。発光用電源電圧Ｖｌｅｄは、主として、発光素子５０を発光させるために必要な電圧により決まる。その発光用電源電圧Ｖｌｅｄの電圧値によっては、電源電圧Ｖｃｃを用いることでも良い。
【００３５】
発光素子５０は、ＩｒＤＡ駆動回路６０と直列に、発光用電源電圧Ｖｌｅｄ点とグランド間に接続される。このＩｒＤＡ駆動回路６０は、スイッチング機能付きの定電流回路であることが良い。制御装置２００からＩｒＤＡ送信データＴＸ１が、送信データ入力端子Ｐｔｘ１を介して入力され、ＩｒＤＡ駆動回路６０に入力される。このＩｒＤＡ送信データＴＸ１は２値信号の形態で入力される。このＩｒＤＡ送信データＴＸ１にしたがって、ＩｒＤＡ駆動回路６０の定電流回路がスイッチングされて、ＩｒＤＡ駆動回路６０が駆動される。
【００３６】
ＩｒＤＡ駆動回路６０が駆動されると、予め設定されている定電流のＩｒＤＡ駆動電流Ｉｔ１が発光素子５０に流れて、ＩｒＤＡ駆動電流Ｉｔ１にしたがったＩｒＤＡ光信号が送出される。なお、Ｐｇｎｄは、グランド端子である。
【００３７】
この第１実施例の赤外線通信モジュールによれば、ＩｒＤＡ信号処理回路３０とともに、リモコン信号の受信処理専用のリモコン信号処理回路４０を設ける。これにより、データ伝送速度（１ｋＨｚ程度）が、ＩｒＤＡ方式のデータ伝送速度（２．４ｋＨｚ〜１６ＭＨｚ）の範囲外にある、通常の赤外線を用いたリモコン信号をも、共通の赤外線通信モジュール１００で受信できる。
【００３８】
この赤外線モジュール１００の受光素子１０及び発光素子５０を除いた各回路部は、信号処理回路を構成する。この信号処理回路は、ＩＣチップに作り込まれることがよい。
【００３９】
また、ＩｒＤＡ受信データとリモコン受信データとを共通のデータ出力端子Ｐｒｘから出力するから、赤外線通信モジュールの端子数を少なくすることができる。
【００４０】
また、ＩｒＤＡ動作とリモコン動作のいずれかを指示するモード信号ＭＯＤに応じて、ＩｒＤＡ信号処理回路３０とリモコン信号処理回路４０のいずれかを動作状態にする。これにより、両信号処理回路３０、４０の受信データが互いに影響することは防止される。よって、共通の受信データ出力端子Ｐｒｘからは適切な受信データＲＸＤが制御装置２００へ出力される。
【００４１】
図２は、本発明の第２実施例に係る赤外線通信モジュール１００の構成を、その制御装置２００とともに示す図である。
【００４２】
図２において、第１実施例の図１とは、送信系において異なっている。図２の受信系は、図１のそれと同様である。以下、その異なる点について説明する。
【００４３】
ＩｒＲｃ駆動回路７０が、発光素子５０と直列に、発光用電源電圧Ｖｌｅｄ点とグランド間に接続される。このＩｒＲｃ駆動回路７０は、スイッチング機能付きの定電流回路であることが良い。制御装置２００からＩｒＲｃ送信データＴＸ２が、送信データ入力端子Ｐｔｘ２を介して入力され、ＩｒＲｃ駆動回路７０に入力される。このＩｒＲｃ送信データＴＸ２は２値信号の形態で入力されるから、ＩｒＲｃ送信データＴＸ２にしたがって、ＩｒＲｃ駆動回路７０が駆動される。
【００４４】
ＩｒＲｃ駆動回路７０が駆動されると、予め設定されている定電流のＩｒＲｃ駆動電流Ｉｔ２が発光素子５０に流れる。これにより、ＩｒＲｃ駆動電流Ｉｔ２にしたがったＩｒＲｃ光信号が送出される。
【００４５】
ＩｒＤＡ送信データＴＸ１がＩｒＤＡ駆動回路６０に供給される経路中と、ＩｒＲｃ送信データＴＸ２がＩｒＲｃ駆動回路７０に供給される経路中とに、選択回路８０が設けられている。
【００４６】
選択回路８０は、ＩｒＤＡ送信データＴＸ１をＩｒＤＡ駆動回路６０へ供給可能にするか、あるいは、リモコン送信データＴＸ２をＩｒＲｃ駆動回路７０へ供給可能にするかを外部から供給されるモード信号ＭＯＤに応じて選択する。例えば、モード信号ＭＯＤが、ＩｒＤＡを示すＨレベルであるときは、ＩｒＤＡ送信データＴＸ１をＩｒＤＡ駆動回路６０へ供給可能にするように、選択回路８０を選択させる。また、モード信号ＭＯＤが、ＩｒＲｃを示すＬレベルであるときは、ＩｒＲｃ送信データＴＸ２をＩｒＲｃ駆動回路７０へ供給可能にするように、選択回路８０を選択させる。
【００４７】
同時に、モード信号ＭＯＤのＨレベルに応じて、ＩｒＤＡ信号処理回路３０を動作状態にし、リモコン信号処理回路４０を不動作状態に制御する。また、モード信号ＭＯＤのＬレベルに応じて、ＩｒＤＡ信号処理回路３０を不動作状態にし、リモコン信号処理回路４０を動作状態に制御する。
【００４８】
この第２実施例の赤外線通信モジュールによれば、第１実施例に加えて、ＩｒＤＡ駆動回路６０かＩｒＲｃ駆動回路７０の一方のみが動作するように選択回路８０によって駆動回路が選択される。したがって、ＩｒＤＡ駆動回路６０とＩｒＲｃ駆動回路７０の両方が同時に駆動されることによる過電流の発生や、それによる発光素子５０の損傷といった不具合を防止できる。
【００４９】
また、第２実施例の赤外線通信モジュールによれば、リモコンによる送受信も可能になる。したがって、パーソナルコンピュータ、プリンタなどの周辺機器、携帯端末などの相互の間でのデータの通信方法として、ＩｒＤＡによる送受信とともに、リモコンによる送受信も可能になる。
【００５０】
このように、リモコンによる送受信が可能になることにより、通信の相手方とのデータのやり取りに基づいて、制御装置において学習リモコンの機能を付与することができる。
【００５１】
なお、ＩｒＤＡでは数１０ｃｍ〜１ｍ程度の距離での通信を想定するのに対して、ＩｒＲｃでは少なくとも数ｍ程度の距離での通信を想定する。したがって、ＩｒＲｃにおいて、相手方との通信距離が短い場合等、受信信号のレベルが大きく得られる用途では、リモコン信号処理回路４０における増幅器４２やカップリングコンデンサ４１、４３を省略することができる。
【００５２】
図３は、本発明における赤外線通信モジュールの内部構造の例を模式的に示す図である。
【００５３】
この図３は、ＩｒＤＡ規格に対応した赤外線通信モジュールであり、ガラスエポキシなどのフレーム１３０に、光信号を送信するための図１、図２のＬＥＤ５０、光信号を受信するための図１、図２のホトダイオード（ＰＩＮダイオード）１０、図１、図２の他の電子回路部が作り込まれているＩＣ１１０等が設けられる。また、ＩＣ１１０とＬＥＤ５０、ホトダイオード１０との間を接続するワイヤ１２０が設けられる。外部端子群Ｐｖｃｃ〜Ｐｇｎｄは、フレーム１３０に形成される。
【００５４】
これらが、非難燃性エポキシ性樹脂などモールド材１４０で、図のようにモールドされる。ＬＥＤ５０の上部の凸部１５０とホトダイオード１０の上部の凸部１６０は、光信号を通すレンズ部分となっている。
【図面の簡単な説明】
【００５５】
【図１】本発明の第１実施例に係る赤外線通信モジュールの構成を示す図
【図２】本発明の第２実施例に係る赤外線通信モジュールの構成を示す図
【図３】本発明における赤外線通信モジュールの内部構造の例を模式的に示す図
【符号の説明】
【００５６】
１００  赤外線通信モジュール
１０  受光素子
２０  電流−電圧変換回路
３０  ＩｒＤＡ信号処理回路
４０  リモコン信号処理回路
５０  発光素子
６０  ＩｒＤＡ駆動回路
７０  ＩｒＲｃ駆動回路（リモコン駆動回路）
８０  選択回路
２００  制御装置
Ｖｃｃ  電源電圧
Ｖｌｅｄ  発光用電源電圧
ＲＸＤ  受信データ
ＭＯＤ  モード信号
ＴＸ１  ＩｒＤＡ送信データ
ＴＸ２  ＩｒＲｃ送信データ
Ｐｖｃｃ  電源端子
Ｐｒｘ  受信データ出力端子
Ｐｖｌｅｄ  発光電源端子
Ｐｍｏｄ  モード信号入力端子
Ｐｔｘ１  送信データ出力端子
Ｐｔｘ２  送信データ出力端子
Ｐｇｎｄ  グランド端子
【図１】
2006140668.tif 000003
【図２】
2006140668.tif 000004
【図３】
2006140668.tif 000005